(57)【要約】      （修正有）【課題】取り付けや使用が容易で、分解後の保管スペースが減少し、輸送コストが削減される組み立て式リングフィルライトを提供する。【解決手段】組み立て式リングフィルライトは、組み立てられてリング状に形成される第１の組立部品１０および第２の組立部品２０を備え、第１の組立部品１０および第２の組立部品２０の両端には、それぞれ第１の端面および第２の端面５０が設けられ、第１の端面は、隣接する第２の端面５０に差し込まれるように接続される。第２の組立部品２０は１つ以上であってよく、第１のガイドピンと第１のスロットとの協働により係合または分離が実現されている。【選択図】図１
0003233766.tif 000002
【実用新案登録請求の範囲】
【請求項１】
組み立てられてリング状に形成される第１の組立部品および第２の組立部品と、第１の組立部品に接続された固定ベースとを備え、第１の組立部品には第１のライトパネルおよび取付スロットが設けられ、前記取付スロット内には、第１のライトパネルに電気的に接続された電源アセンブリおよび制御アセンブリが設けられ、前記第２の組立部品には第２のライトパネルが設けられ、第１の組立部品および第２の組立部品の両端には、それぞれ第１の端面および第２の端面が設けられ、前記第１の端面は、隣接する第２の端面に差し込まれるように接続されることを特徴とする、組み立て式リングフィルライト。
【請求項２】
前記第１の端面には凸状段差が設けられ、凸状段差には第１のガイドピンおよび第１の接触弾性片が設けられ、第２の端面には、前記凸状段差に適合した凹部が設けられ、前記凹部には、第１のガイドピンと密に係合する第１のスロットと第２の接触弾性片が設けられ、前記第１の接触弾性片、第２の接触弾性片はそれぞれ対応するライトパネルに電気的に接続され、第１のガイドピンは、第１のスロットに挿入されて第１の接触弾性片と第２の接触弾性片を導通させることを特徴とする、請求項１に記載の組み立て式リングフィルライト。
【請求項３】
前記第１の端面にはさらに係止具が設けられ、第２の端面には、前記係止具と係合する係止部が設けられることを特徴とする、請求項２に記載の組み立て式リングフィルライト。
【請求項４】
前記第１の端面の係止具から離れた側には、第１のフランジがさらに設けられ、前記第２の端面の係止部から離れた側には、前記第１のフランジと嵌合する退避スロットが設けられることを特徴とする、請求項３に記載の組み立て式リングフィルライト。
【請求項５】
前記第１の組立部品は、第１のベースプレートおよび第１のカバープレートを備え、前記第１のライトパネルは、前記第１のベースプレートと第１のカバープレートとで形成される第１の空洞内に設けられ、第１の接触弾性片は、弾性片押圧ブロックによって第１のライトパネルに接続され、第１の取付スロットは、第１のベースプレートに接続されることを特徴とする、請求項１〜４のいずれか一項に記載の組み立て式リングフィルライト。
【請求項６】
前記第１の取付スロットは、第１のベースプレートと一体的に設けられた取付空洞壁と、取付空洞壁に接続されたリアカバープレートとを備え、前記取付空洞壁の上端には第２のスロットが設けられ、前記リアカバープレートの上端には、前記第２のスロットと係合する第２のガイドピンが対応して設けられることを特徴とする、請求項５に記載の組み立て式リングフィルライト。
【請求項７】
前記第１のガイドピンは、柱本体と、柱本体の両側に設けられたリブとを備え、前記リブは、柱本体の直径よりも小さい幅を有することを特徴とする、請求項４に記載の組み立て式リングフィルライト。
【請求項８】
前記第２の組立部品が１つ以上設けられていることを特徴とする、請求項６に記載の組み立て式リングフィルライト。
【請求項９】
前記第２の組立部品は、第２のベースプレートと第２のカバープレートを備え、前記第２のライトパネルは、前記第２のベースプレートと第２のカバープレートとで形成される第２の空洞内に設けられ、第２のベースプレートには、第２の空洞の一方の側に向かって凹んだいくつかの通気溝が設けられ、通気溝の側壁には、前記第２の空洞と導通する貫通孔が設けられることを特徴とする、請求項２に記載の組み立て式リングフィルライト。
【請求項１０】
前記固定ベースには、固定ベースの角度を調整するための回転座が着脱可能に接続されており、前記回転座は第１の締付部品を介して前記固定ベースに締め付けられ、前記回転座の他端にはスリーブが設けられ、回転座には、スリーブを制限するための第２の締付部品が設けられることを特徴とする、請求項２に記載の組み立て式リングフィルライト。
【考案の詳細な説明】
【技術分野】
【０００１】
本考案は、リングフィルライトの技術分野に関し、具体的には、組み立て式リングフィルライトに関する。
【背景技術】
【０００２】
生放送分野が盛んになっているにつれて、撮影、撮像または生放送の効果を向上させるために、フィルライトを使用して光を補ったり照明したりすることがよくある。
【０００３】
現在、市場に出回っているリングフィルライトは、ほとんどが一体型のリング状構造であるが、この形態の製品は体積が比較的大きく、より大きなスペースを占有し、輸送コストも高く、持ち運びには適していない。
【考案の概要】
【考案が解決しようとする課題】
【０００４】
本考案は、リングフィルライトが大きなスペースを占有するという問題を解決するために、組み立て式リングフィルライトを提供することを旨とする。
【課題を解決するための手段】
【０００５】
本考案では、その技術的問題を解決するために採用される技術的解決手段は、組み立て式リングフィルライトを提供し、組み立てられてリング状に形成される第１の組立部品および第２の組立部品と、第１の組立部品に接続された固定ベースとを備え、第１の組立部品には第１のライトパネルおよび取付スロットが設けられ、前記取付スロット内には、第１のライトパネルに電気的に接続された電源アセンブリおよび制御アセンブリが設けられ、前記第２の組立部品には第２のライトパネルが設けられ、第１の組立部品および第２の組立部品の両端には、それぞれ第１の端面および第２の端面が設けられ、前記第１の端面は、隣接する第２の端面に差し込まれるように接続される。
【０００６】
その中の一実施例では、第１の端面には凸状段差が設けられ、凸状段差には第１のガイドピンおよび第１の接触弾性片が設けられ、第２の端面には、前記凸状段差に適合した凹部が設けられ、前記凹部には、第１のガイドピンと密に係合する第１のスロットと第２の接触弾性片が設けられ、前記第１の接触弾性片、第２の接触弾性片はそれぞれ対応するライトパネルに電気的に接続され、第１のガイドピンは、第１のスロットに挿入されて第１の接触弾性片と第２の接触弾性片を導通させる。
【０００７】
その中の一実施例では、前記第１の端面にはさらに係止具が設けられ、第２の端面には、前記係止具と係合する係止部が設けられる。
【０００８】
その中の一実施例では、前記第１の端面の係止具から離れた側には、第１のフランジがさらに設けられ、前記第２の端面の係止部から離れた側には、前記フランジと嵌合する退避スロットが設けられる。
【０００９】
その中の一実施例では、前記第１の組立部品は、第１のベースプレートおよび第１のカバープレートを備え、前記第１のライトパネルは、前記第１のベースプレートと第１のカバープレートとで形成される第１の空洞内に設けられ、第１の接触弾性片は、弾性片押圧ブロックによって第１のライトパネルに接続され、第１の取付スロットは、第１のベースプレートに接続される。
【００１０】
その中の一実施例では、前記第１の取付スロットは、第１のベースプレートと一体的に設けられた取付空洞壁と、取付空洞壁に接続されたリアカバープレートとを備え、前記取付空洞壁の上端には第２のスロットが設けられ、前記リアカバープレートの上端には、前記第２のスロットと係合する第２のガイドピンが対応して設けられる。
【００１１】
その中の一実施例では、前記第１のガイドピンは、柱本体と、柱本体の両側に設けられたリブとを備え、前記リブは、柱本体の直径よりも小さい幅を有する。
【００１２】
その中の一実施例では、前記第２の組立部品が１つ以上設けられている。
【００１３】
その中の一実施例では、前記第２の組立部品は、第２のベースプレートと第２のカバープレートを備え、前記第２のライトパネルは、前記第２のベースプレートと第２のカバープレートとで形成される第２の空洞内に設けられ、第２のベースプレートには、第２の空洞の一方の側に向かって凹んだいくつかの通気溝が設けられ、通気溝の側壁には、前記第２の空洞と導通する貫通孔が設けられる。
【００１４】
その中の一実施例では、前記固定ベースには、固定ベースの角度を調整するための回転座が着脱可能に接続されており、前記回転座は第１の締付部品を介して前記固定ベースに締め付けられ、前記回転座の他端にはスリーブが設けられ、回転座には、スリーブを制限するための第２の締付部品が設けられる。
【考案の効果】
【００１５】
本考案によって提供される組み立て式リングフィルライトでは、第１の組立部品および第２の組立部品を備え、第２の組立部品は１つ以上であってよく、第１のガイドピンと第１のスロットの協働により係合または分離が実現され、リングフィルライトは、第１の組立部品と第２の組立部品を差し込んで接続することによって形成され、取り付けや使用が容易で、分解後の保管スペースが減少し、輸送コストが削減される。
【図面の簡単な説明】
【００１６】
【図１】本考案によって提供される組み立て式リングフィルライトの一実施例を分解した模式図である。
【図２】本考案に係る第１の組立部品を分解した構造模式図である。
【図３】本考案に係る第１の組立部品を別の角度で分解した構造模式図である。
【図４】本考案に係る第２の組立部品を分解した構造模式図である。
【図５】本考案に係る第１の端面および第２の端面の構造を示す模式図である。
【図６】本考案の別の実施例に係る組み立て式リングフィルライトを分解した模式図である。
【図７】本考案の別の実施例に係る組み立て式リングフィルライトを分解した模式図である。
【考案を実施するための形態】
【００１７】
図面と併せて、本考案の好ましい実施例を詳しく説明する。
【００１８】
図面１-７と併せて、本考案は、組み立て式リングフィルライトを提供し、それは組み立てられてリング状に形成される第１の組立部品１０および第２の組立部品２０と、第１の組立部品１０に接続された固定ベース３０とを備え、ここで、固定ベース３０は、生放送または撮影用の支持ロッドを接続するために使用され、第１の組立部品１０および第２の組立部品２０は組み立てられてリンク状に形成することができ、分解後の占有スペースが減少し、持ち運びや輸送が容易になる。
【００１９】
具体的には、前記第１の組立部品１０には、第１のライトパネル１１および取付スロット１２が設けられ、第１の組立部品１０は、第１のベースプレート１３および第１のカバープレート１４を含み、第１のライトパネル１１は、前記第１のベースプレート１３と第１のカバープレート１４とで形成される第１の空洞内に設けられ、第１のカバープレート１４は、前記第１のベースプレート１３に取り外し可能に係合される。第２の組立部品２０は、第２のベースプレート２２および第２のカバープレート２３を含み、前記第２のライトパネル２１は、前記第２のベースプレート２２と第２のカバープレート２３とで形成される第２の空洞内に設けられ、第２のカバープレート２３は、第２のベースプレート２２に取り外し可能に係合される。第１のライトパネル１１および第２のライトパネル２１には、対応するＰＣＢ基板およびライトビーズがそれぞれ設けられる。
【００２０】
本考案に係る第１の組立部品１０および第２の組立部品２０の両端には、それぞれ第１の端面４０および第２の端面５０が設けられ、第１の端面４０は第２の端面５０に差し込まれるように接続され、取り外し可能な組み立て構造を形成する。
【００２１】
具体的には、本実施例における第１の端面４０には、凸状段差４１が設けられ、凸状段差４１には、第１のガイドピン４２および第１の接触弾性片４３が設けられ、第２の端面５０には、前記凸状段差４１と適合した凹部５１が設けられ、前記凹部５１には、第１のガイドピン４２と密に係合する第１のスロット５２および第２の接触弾性片５３が設けられ、第１の接触弾性片４３は、第１のライトパネル１１に電気的に接続され，第２の接触弾性片５３は、第２のライトパネル２１に電気的に接続される。組み立てときに、第１のガイドピン４２が第１のスロット５２に挿入され、第１の接触弾性片４３と第２の接触弾性片５３を導通させて両者を密に係合することで、第１の組立部品１０と第２の組立部品２０または第２の組立部品２０間の電気的接続が達成される。第１のガイドピン４２を第１のスロット５２から分離し、組立部品の間の回路を切断して取り外しを行うことにより、その占有スペースを減少させ、持ち運びやすいようにすることができる。本実施例では、第１のガイドピン４２は、柱本体４２１と、柱本体４２１の両側に設けられたリブ４２２とを備え、前記リブ４２２は柱本体４２１の直径よりも小さい幅を有し、第１のスロット５２は前記第１のガイドピン４２の構造に対応し、第１のガイドピン４２は、上から下に向かって第１のスロット５２に挿入されて密に係合されることで、組み立てた後の構造がコンパクトで、緩みや揺れが生じないように確保される。他の実施例では、前記第１の端面４０と第２の端面５０は、スライド溝とバンプの嵌合の形態であってもよい。
【００２２】
さらに、第１の端面４０にはさらに係止具４４が設けられ、第２の端面５０には、前記係止具４４と係合する係止部５４が設けられる。第１のガイドピン４２が第１のスロット５２に挿入されると、係止具４４が対応する係止部５４に係合され、全体的な接続がより確実で安定したものになる。前記第１の端面４０の係止具４４から離れた側には、第１のフランジ４５４５がさらに設けられ、前記第２の端面５０の係止部５４から離れた側には、前記第１のフランジ４５と係合する退避スロット５５が設けられ、第１のフランジ４５と退避スロット５５の係合により組み立てがシームレスの形態になり、リングフィルライトの美観が確保される。
【００２３】
前記第１の接触弾性片４３および第２の接触弾性片５３には、その接触面積を大きくするために、それぞれ複数のサブ接触弾性片が設けられ、対応するサブ接触弾性片は、半円弧状に設計され、且つ接触弾性を有する。より具体的には、前記の第１の接触弾性片４３、第２の接触弾性片５３はそれぞれ、弾性片押圧ブロック１５を介して第１のライトパネル１１、第２のライトパネル２１に接続され、弾性片押圧ブロック１５を利用して接続の緊密性を確保する。前記第２のベースプレート２２には、第２の空洞の一方の側に向かって凹んだいくつかの通気溝２５が設けられ、通気溝２５の側壁には、前記第２の空洞と導通するための貫通孔が設けられる。
【００２４】
本実施例に係る第２の組立部品２０は、１つ以上であってよく、例えば、第２の組立部品２０を１つとした場合、構造の安定性およびサイズの適合性を確保するために、第１の組立部品１０および第２の組立部品２０はそれぞれ半リンク状であることが好ましい。第２の組立部品２０が２つ以上である場合、第２の組立部品２０の第１の端面４０は、隣接する第２の端面５０に接続され、これにより、第２の組立部品２０間の電気的接続または第２の組立部品２０と第１の組立部品１０との間の接続が実現され得る。ここで、第２の組立部品２０は、３つ設けられ、且つそれらが第１の組立部品１０と共に均等にリンクの形状を分割するようにすることが好ましく、これにより、分解後の占有スペースが減少する。
【００２５】
取付スロット１２は、第１のベースプレート１３に接続され、取付空洞壁１２１と、取付空洞壁１２１に接続されたリアカバープレート１２２とを備え、本実施例では、前記取付空洞壁１２１は、前記第１のベースプレート１３と一体的に設けられる。前記取付空洞壁１２１の上端には、第２のスロット１２３が設けられ、リアカバープレート１２２の上端には、前記第２のスロット１２３と係合する第２のガイドピン１２４が対応して設けられ、ここで、第２のガイドピン１２４はテーパ状を呈し、テーパ状の前端が第２のスロット１２３内に挿入される。第２のガイドピン１２４と第２のスロット１２３の係合により、リアカバープレート１２２と取付空洞壁１２１の取り外し可能な接続が容易になり、取付スロット１２内の部材の点検や交換が容易になる。
【００２６】
具体的には、取付スロット１２内には、第１のライトパネル１１に電気的に接続された電源アセンブリ１７および制御アセンブリ１８が設けられ、ここで、電源アセンブリ１７は電力を供給するために使用され、制御アセンブリ１８は、第１のライトパネル１１および第２のライトパネル２１を制御するために使用され、制御ボードおよび制御ボードに接続された制御ボタンを含み、対応する制御ボタンは、スイッチボタン、光の明るさ調整ボタンや光の色調整ボタンなどを含むことができる。さらに、前記の取付スロット１２内には、さらにUSBインターフェース１９が設けられ、前記USBインターフェース１９は、前記電源アセンブリ１７に電気的に接続され、リングフィルライトを充電するために使用される。
【００２７】
固定ベース３０は、第１のベースプレート１３の下端に接続され、固定ベース３０には回転座３１が回転可能に接続され、固定ベース３０と回転座３１の接続位置を調整することで、リングフィルライトの角度をさらに調整する。
【００２８】
具体的には、本実施例の回転座３１と固定ベース３０の下端は、十字の入れ子状構造を採用しながら、第１の締付部品３２を利用して締め付けられる。十字の入れ子状構造により、固定ベース３０と回転座３１を回転可能に設置し、かつ安定して接続することができ、よって、装置の使用安定性が確保される。前記第１の締付部品３２は、第１のつまみおよびロックねじを含んでもよく、ロックねじは、一端が固定ベース３０と回転座３１を貫通して、第１のつまみと締め付けられる。
【００２９】
前記回転座３１の下端の内部には、スリーブ３３が設けられ、リングフィルライトを固定するために、それを支持アセンブリ上に嵌着することができ、また、支持アセンブリとの確実な接続を確保するために、回転座３１には、さらにスリーブ３３を制限する第２の締付部品３４が設けられ、支持アセンブリは、スリーブ３３内に嵌着され、第２の締付部品３４はスリーブ３３を貫通して支持アセンブリを締め付ける。
【００３０】
なお、本明細書で使用される「垂直」、「水平」、「同軸」、「左」などの用語は、説明するためにのみ使用され、唯一の実施形態ではない。
【００３１】
上述した実施形態の技術的特徴は、任意に組み合わせることができ、説明を簡潔にするために、上述した実施形態の個々の技術的特徴の可能な組み合わせのすべてを説明していないが、これらの技術的特徴の組み合わせが矛盾しない限り、本明細書の範囲内にあるとみなされるものとする。
【００３２】
上記の実施形態は、本考案の技術的解決手段を説明するためのものであって、それを限定するためのものではなく、上記の実施形態に記載されている技術的解決手段は、当業者によって変更されるか、またはその技術的特徴の一部が等価的に置き換えられる可能性があり、そのようなすべての変更および置き換えは、本考案の添付の請求項の保護範囲内に入るものと理解されるべきである。
【符号の説明】
【００３３】
第１の組立部品  １０、第１のライトパネル  １１、取付スロット  １２、取付空洞壁  １２１、リアカバープレート  １２２、第２のスロット  １２３、第２のガイドピン  １２４、第１のベースプレート  １３、第１のカバープレート  １４、弾性片押圧ブロック  １５、第１の空洞  １６、電源アセンブリ  １７、制御アセンブリ  １８、ＵＳＢインターフェース  １９、第２の組立部品  ２０、第２のライトパネル  ２１、第２のベースプレート  ２２、第２のカバープレート  ２３、第２の空洞  ２４、通気溝  ２５、固定ベース  ３０、回転座  ３１、第１の締付部品  ３２、スリーブ  ３３、第２の締付部品  ３４、第１の端面  ４０、凸状段差  ４１、第１のガイドピン  ４２、柱本体  ４２１、リブ  ４２２、第１の接触弾性片  ４３、係止具  ４４、第１のフランジ  ４５、第２の端面  ５０、凹部  ５１、第１のスロット  ５２、第２の接触弾性片  ５３、係止部  ５４、退避スロット  ５５
【図１】
0003233766.tif 000003
【図２】
0003233766.tif 000004
【図３】
0003233766.tif 000005
【図４】
0003233766.tif 000006
【図５】
0003233766.tif 000007
【図６】
0003233766.tif 000008
【図７】
0003233766.tif 000009